(57)【要約】      （修正有）【課題】散歩時のステッキ（杖）兼姿勢矯正具を提供する。【解決手段】杖状に形成された所定長の棒状体１であり、中央部に人体の背骨の両側部位を押圧することができる少なくとも左右一対の小突起或いはこぶ状部分５が設けらている。散歩時には垂直状態にし、その上端部の握り部材２を持って杖として使用することができ、一方、散歩時の姿勢矯正時には背中と両腕の肘部分の内側の間に水平挟持状態に横架し、背筋を伸ばしながら小突起あるいはこぶ状部分で背骨の両側部位に刺激を与えることができる。【選択図】図１
0003186752.tif 000002
【実用新案登録請求の範囲】
【請求項１】
杖状に形成された所定長の棒状体であり、中央部に人体の背骨の両側部位を押圧することができる少なくとも左右一対の小突起或いはこぶ状部分が設けられ、散歩時に垂直状態にし、その上端部を持って杖として使用することができ、一方、散歩時の姿勢矯正時に背中と両腕の肘部分の内側の間に水平挟持状態に横架し、かつ背筋を伸ばしながら前記小突起あるいはこぶ状部分で前記背骨の両側部位に刺激を与える人体の姿勢矯正具。
【請求項２】
請求項１において、小突起あるいはこぶ状部分は、接着剤を介して棒状体の中央部に固定された柔軟性を有する帯状体の一端部の一側表面に形成されていることを特徴とする人体の姿勢矯正具。
【請求項３】
請求項１において、小突起或いはこぶ状部分は、材質自体の弾性力により棒状体の中央部に固定された長筒状部材の外周面に形成されていることを特徴とする人体の姿勢矯正具。
【請求項４】
請求項１において、小突起或いはこぶ状部分は、断面略楕円形又は断面略多角形のいずれかの棒状体の略平坦状の一側表面に直接形成されていることを特徴とする人体の姿勢矯正具。
【請求項５】
請求項１に於いて、棒状体の表面の小突起あるいはこぶ状部分を含む一部又は全部に、電気石の粉末剤又は該粉末剤を含有するトルマリンシートのいずれかが設けられていることを特徴とする人体の姿勢矯正具。
【請求項６】
請求項１に於いて、棒状体の表面の小突起あるいはこぶ状部分を含む一部又は全部に、少なくとも遠赤外線、マイナスイオン、テラヘルツ波のいずれかを含む石の粉末剤が含まれていることを特徴とする人体の姿勢矯正具。
【請求項７】
請求項１に於いて、棒状体は炭の成分を含有していることを特徴とする人体の姿勢矯正具。
【考案の詳細な説明】
【技術分野】
【０００１】
本考案は人体の姿勢矯正具に関し、特に、散歩中に人体の姿勢を矯正することができる人体の姿勢矯正具に関する。
【背景技術】
【０００２】
特許文献１の図１９〜図２３には、棒状体Ａの外周に多数の突条１６ａを設け、マーサージの際、棒状体Ａを背中と両腕の肘部分の内側の間に水平挟持状態に横架し、例えば背筋を伸ばしながら、又は背筋を曲げながら、或いは背筋を反らせながら、さらには身体を捻じりながら等の各態様により、前記該突条１６ａを背骨の両側部位等に刺激を与えることが記載されている。この特許文献１に記載の棒状体Ａは、背中を始めとして、首筋、腕、脚等の人体の各部位をマッサージすることを目的としているので、いわば多用途マッサージ具ともいうべきものであり、健康具として優れている。しかしながら、特許文献１の棒状体Ａの使用目的は、あくまでも「多用途マッサージ兼筋肉強化」であり、散歩時に垂直状態にし、その上端部を持って杖として使用することを目的とするものではない（符号は特許文献１のもの）。
【０００３】
特許文献２は、「杖」に関するものであり、一側表面に多数の小突起が形成されたシート状のベース２を、杖の握り部４に巻き付けて接着剤を介して固定する事項が記載されている。しかしながら、特許文献２の「杖」は、握り部を握ることにより健康を増進することを目的としており、散歩時の姿勢矯正時に背中と両腕の肘部分の内側の間に水平挟持状態に横架し、かつ背筋を伸ばしながら前記小突起で背骨の両側部位に刺激を与えるものではない（符号は特許文献２のもの）。
【０００４】
特許文献３には、「両端部を把持部とし、両手を広げて前記把持部を把持可能な長さに設けられた棒状体と、前記棒状体の把持部に多数設けられた第１突起と、前記棒状体の中央から両側に適宜範囲内で多数設けられた第２突起とを備えたことを特徴とするあんま器」が記載されており、該あんま器は、背中に回わした棒状体両端の把持部を両手で握った状態で中央部を強弱調整して、例えば背中へ押し付け、押し付けた状態でスリップあるいは転ばすことにより第２突起が背中のツボを刺激し、あるいは筋肉を揉みほぐすことが記載されている。この点、特許文献１に記載の棒状体Ａと同様の機能を有するものの、特許文献１と同様に、該あんま器は散歩時に垂直状態にし、その上端部を持って杖として使用することを目的とするものではない。
【０００５】
以上のように、特許文献１乃至特許文献３に記載の道具は、主として、人体の特定の部位に対する押圧機能（マッサージ）を目的としており、散歩時の「ステッキ（杖）」兼姿矯正具とするものではなかった。
【特許文献１】実公平７−１１４４号公報の図１９〜図２３
【特許文献２】登録実用新案公報第３０２１３８４号
【特許文献３】特開平９−２７６３６３号公報
【考案の開示】
【考案が解決しようとする課題】
【０００６】
本考案は、特許文献１乃至特許文献３の問題点に鑑み、散歩時の「ステッキ（杖）」兼姿勢矯正具を提案することである。第２の目的は、散歩時に姿勢を正しながら、棒状体の表面の左右の小突起或いはこぶ状部分が背骨の両側部位のツボを押圧して刺激を与えることにより、血行が活発になることである。第３の目的は、合理的（シンプル）な構成により、左右の小突起或いはこぶ状部分を棒状体の表面に簡単に設けることである。その他の目的は、簡単な構成により、ローコスト化を図ること、ストレスを解消して健康状態を維持することである。
【課題を解決するための手段】
【０００７】
本考案の人体の姿勢矯正具は、杖状に形成された所定長の棒状体であり、中央部に人体の背骨の両側部位を押圧することができる少なくとも左右一対の小突起或いはこぶ状部分が設けられ、散歩時に垂直状態にし、その上端部を持って杖として使用することができ、一方、散歩時の姿勢矯正時に背中と両腕の肘部分の内側の間に水平挟持状態に横架し、かつ背筋を伸ばしながら前記小突起あるいはこぶ状部分で前記背骨の両側部位に刺激を与えることを特徴とする。
【０００８】
上記構成に於いて、小突起あるいはこぶ状部分は、接着剤を介して棒状体の中央部に固定された柔軟性を有する帯状体の一端部の一側表面に形成されていることを特徴とする。また、小突起或いはこぶ状部分は、材質自体の弾性力により棒状体の中央部に固定された長筒状部材の外周面に形成されていることを特徴とする。さらに、小突起或いはこぶ状部分は、断面略楕円形又は断面略多角形のいずれかの棒状体の略平坦状の一側表面に直接形成されていることを特徴とする。加えて、実施形態によっては、棒状体の表面の小突起あるいはこぶ状部分を含む一部又は全部に、電気石の粉末剤、又は該粉末剤を含有するトルマリンシートのいずれかが設けられている（例えば小突起あるいはこぶ状部分を有するトルマリンシートがバインダーを介して貼付けされている）ことを特徴とする。加えて、棒状体の表面の小突起あるいはこぶ状部分を含む一部又は全部に、少なくとも遠赤外線、マイナスイオン、テラヘルツ波のいずれかを含む石の粉末剤が含まれている、或いはまた棒状体は炭の成分を含有していることを特徴とする。
【考案の効果】
【０００９】
（ａ）請求項１に記載の考案は、杖状に形成された所定長の棒状体であり、中央部に人体の背骨の両側部位を押圧することができる少なくとも左右一対の小突起或いはこぶ状部分が設けられ、散歩時に垂直状態にし、その上端部を持って杖として使用することができ、一方、散歩時の姿勢矯正時に背中と両腕の肘部分の内側の間に水平挟持状態に横架し、かつ背筋を伸ばしながら前記小突起あるいはこぶ状部分で前記背骨の両側部位に刺激を与えることができるので、散歩時の「ステッキ（杖）」兼姿勢矯正具を提案することができる。また、散歩時に勢矯を矯正しながら、棒状体の表面の左右の小突起或いはこぶ状部分が背骨の両側部位のツボを押圧して刺激を与え、これにより血行の活発化を図ることができるので、いわば知らない間に健康を増進させることができる。
（ｂ）請求項２及び請求項３に記載の考案は、簡単な構成により、ローコスト化を図ることができる。
（ｃ）請求項４に記載の考案は、小突起或いはこぶ状部分は、断面楕円形又は断面略多角形のいずれかの棒状体の略平坦状の一側表面に直接形成されているので、散歩時の姿勢矯正時、両腕を後ろに回して背中と両腕の肘部分の内側の間に水平挟持状態に横架した場合であっても、棒状体は容易に回転せず、その結果、小突起或いはこぶ状部分が所望するツボ部位を確実に刺激することができる。
（ｄ）請求項５及び請求項６に記載の考案は、棒状体の表面等に電気石（トリマリン）の粉末剤、或いは少なくとも遠赤外線、マイナスイオン、テラヘルツ波のいずれかを含む石の粉末剤が含まれているので、補助的であるものの、血行の促進、ストレスの解消、疲労の緩和等を期待することができる（健康増進効果）。請求項7に記載の考案も同様である。
【図面の簡単な説明】
【００１０】
図１乃至図４は、本考案の第１実施形態を示す各説明図、図５乃至図７は本考案の第２実施形態を示す各説明図、図８及び図９は本考案の第３実施形態を示す各説明図である。図１０及び図１１は本考案の第４実施形態を示す各説明図である。
【図１】本考案の第１実施形態を示す概略斜視図。
【図２】図１の２−２線における概略断面説明図。
【図３】分解斜視図。
【図４】（ａ）散歩時の姿勢矯正時における人体の正面側からの概略説明図、（ｂ）散歩時の姿勢矯正時における人体の背面側からの概略説明図。
【図５】本考案の第２実施形態を示す概略斜視図。
【図６】図５の６−６線における概略断面説明図。
【図７】分解斜視図。
【図８】本考案の第３実施形態を示す概略斜視図。
【図９】図８の９−９線における概略断面説明図。
【図１０】本考案の第４実施形態を示す概略斜視図。
【図１１】図１０の１１−１１線における概略断面説明図。
【考案を実施するための最良の形態】
【００１１】
以下、図面を参照にして、本考案の実施形態の一例を説明する。図１乃至図４は本考案の第１実施形態を示す概略斜視図である。これらの図に於いて、Ｘは姿勢矯正具、１は棒状体、２は棒状体の上端部に固定的に外嵌合する握り部材、３は棒状体の下端部に外嵌合する杖先部分、４は接着剤を介して棒状体１の中央部に固定された柔軟性を有する帯状体である。５は該帯状体４に設けられた一対の小突起或いはこぶ状部分である。
本考案の姿勢矯正具Ｘは、主として、人が散歩するときに使用される日用品で、散歩中に「杖」として使用することができると共に、散歩しながら姿勢を正す姿勢矯正手段としても使用することができる。したがって、棒状体１は、図１で示すように、その断面形状如何を問わず、細長い棒状体であり、その長さは成人（例えば身長１７０ｃｍ）を標準として「地面」から「腰（或いはへそ）」程度である。
【００１２】
棒状体１の材質に関しては、強靭なものが望ましい。実施形態では硬質のプラスチックを材料としているが、折れ難い物であれば木材であっても良い。また横断面形状に関しては、小突起或いはこぶ状部分５の数が少ない場合には、少なくとも一側面に平坦面を有する円形又は多角形のものが望ましい。実施形態では図２で示すように、長辺と短辺が周方向に繰り返して連続する八角形の棒状体１を採用している。もちろん、横断面形状は円形、楕円形、小判形状、多角形のいずれであっても良い。また棒状体１の径に関しては、一端部（杖として使用するときは上端部）１ａが大径で、他端部（杖として使用するときは下端部）１ｂは先細り状の小径が望ましい。実施形態では図１及び図２で示すように、下端部１ｂの半径は上端部１ａのそれに対して二分の一程度である。
【００１３】
握り部材２及び杖先部分３は、それぞれ一端開口の長筒体である。握り部材２は滑らないように、例えば表面にローレット模様が形成されている。握り部材２及び杖先部分３の断面形状を特に図示しないが、これらの断面形状は棒状体１の上端部１ａ、下端部１ｂのそれに対応している。すなわち、上端部１ａ、下端部１ｂの断面形状がそれぞれ楕円形状或いは小判形状であれば握り部材２及び杖先部分３の断面形状もそれぞれ楕円形状或いは小判形状となる。実施形態では八角形なので、握り部材２及び杖先部分３もそれぞれ八角形である。握り部材２及び杖先部分３の材質は、望ましくはゴムであるが、硬質のプラスチックや金属であっても良い。
【００１４】
帯状体４は、図３の展開図（券着前）で示すように、所定幅と所定長のもので、一側表面の端部（端部寄りの部位も含む）に左右一対の小突起或いはこぶ状部分５が設けられている。左右のこぶ状部分５の間隔は、人体の背骨の両側部位を押圧することができる所要間隔である。帯状体４は接着剤を介して棒状体１の略中央部に二重・三重に券着されるので、その幅と長さは適宜に設定されている。帯状体４の材質については、柔軟性を有するゴム、又はプラスチック、或いはまた布のいずれかであり、帯状体４の表面に適度な硬さ（ツボを押圧することができる硬さ）を有する小突起或いはこぶ状部分５が設けられている。小突起或いはこぶ状部分５は、少なくとも左右一対設けることが望ましく、実施形態では、その頭部は弧状円錐形に形成されている。帯状体４を棒状体１の外周面に、例えば二重に券着した場合、小突起或いはこぶ状部分５は、図２で示すように、長辺の側面に位置づけられる。
【００１５】
上記構成に於いて、図４（ａ）は散歩時の姿勢矯正時における人体の正面側からの概略説明図、図４（ｂ）は  散歩時の姿勢矯正時における人体の背面側からの概略説明図である。人体の姿勢矯正具Ｘは、杖状に形成された所定長の棒状体１を構成要件としていることから、散歩する際には握り部材２を握り締め、杖先部材３を石突とする。一方、散歩時の姿勢矯正時に棒状体１を使用する際には、図４（ａ）、（ｂ）で示すように、背中と両腕の肘部分の内側の間に水平挟持状態に横架し、かつ背筋を伸ばしながら小突起あるいはこぶ状部分５で前記背骨の両側部位に前後方向に刺激（ツボに対する押圧）与える。したがって、本発明の課題・効果を得ることができる。
【実施例】
【００１６】
この欄では、第１実施形態と同一の課題を達成することができる他の実施形態について説明する。なお、第２実施形態等の説明に当って、第１実施形態と同一の部分には同一又は同様の符号を付して重複する説明を割愛する。
【００１７】
図５乃至図７で示す第２実施形態の人体の姿勢矯正具Ｘ１が第１実施形態の構成と主に異なる点は、小突起或いはこぶ状部分５を有する部材である。すなわち、第１実施形態の小突起或いはこぶ状部分５を有する部材は柔軟性の帯状体であるのに対して、第２実施形態の小突起或いはこぶ状部分５を有する部材は、両端開口の長筒状部材４Ａである。この長筒状部材４Ａは、図６で示すように、棒状体１Ａの断面形状が略真円形状であることから、例えばゴムを材料としてその断面は略真円形状に形成されている。
【００１８】
また長筒状部材４Ａの外周面に形成された小突起或いはこぶ状部分５は、放射状に合計８個形成されている。長筒状部材４Ａは、外拡変位機能、硬質機能、弾性変形復帰機能を有するので、棒状体１Ａの下端部１ｂから長筒状部材４Ａを嵌め込み、強制的にスライドさせることにより、図５で示すように材質自体の弾性力により棒状体１Ａの中央部に固定される。
【００１９】
図８及び図９は本考案の第３実施形態を示す各説明図である。この第３実施形態の人体の姿勢矯正具Ｘ２の小突起或いはこぶ状部分５は、断面楕円形又は断面略三角形状のいずれかの棒状体の略平坦状の一側表面に直接形成されている。実施形態では、棒状体１Ｂは断面小判形状に形成され、略平坦状の両側面（前後の面）に小突起或いはこぶ状部分５が左右一対設けられている。第３実施形態の棒状体１Ｂの材質は木材であるので、小突起或いはこぶ状部分５を形成する場合には、第１実施形態や第２実施形態よりもコスト高になる欠点があるので、望ましくは棒状体１Ｂの材質はプラスチックである。
【００２０】
ところで、望ましくは、本考案の各実施形態に於いて、棒状体１、１Ａ、１Ｂの各表面の小突起あるいはこぶ状部分５を含む一部又は全部に、電気石の粉末剤又は該粉末剤を含有するトルマリンシートのいずれかが設けられている。付言すると、第１実施形態では、例えば帯状体４の表面に電気石（トルマリン鉱石）の粉末剤７がバインダーを介して塗布され、また第２実施形態では、例えば長筒状部材４Ａの表面に電気石（トルマリン鉱石）の粉末剤がバインダーを介して塗布され、第３実施形態では小突起あるいはこぶ状部分５に粉末剤７がバインダーを介して塗布されている。もちろん、棒状体１、１Ａ、１Ｂの各表面に図示しないトルマリンシートを貼付けても良い。
【００２１】
最後に、図１０及び図１１は本考案の第４実施形態を示す各説明図である。この第４実施形態は、硬質のプラスチック材質に遠赤外線、マイナスイオン、テラヘルツ波のいずれかを含む石の粉末剤を混入、加熱、冷却等の処理をし、少なくても遠赤外線、マイナスイオン、テラヘルツ波のいずれかを含む石の粉末剤７を含有する棒状体１Ｃを成形したものである。
【００２２】
したがって、この第４実施形態の姿勢矯正具Ｘ３の棒状体１Ｃは、その表面の小突起あるいはこぶ状部分５を含む全部に粉末剤７を含有している。もちろん、例えばテラヘルツ波の石を粉末剤７にし、該粉末剤７を噴霧、塗布等の適宜手段によって、棒状体１Ｃの前記小突起あるいはこぶ状部分５に付着させても良い。
【００２３】
なお、テラヘルツ波の石の具体例としては、株式会社ネフライトの「健燃石／けんねんせき（登録商標）」と称される石が公知である。また姿勢矯正具Ｘ３の棒状体１Ｃは、さらに炭の成分を含有していても良し、或いは少なくとも炭のみの成分を含有していても良していても良い。
【産業上の利用可能性】
【００２４】
本考案は、日用品を販売する業界で利用される。
【符号の説明】
【００２５】
Ｘ、Ｘ１、Ｘ２、Ｘ３…姿勢矯正具、１、１Ａ、１Ｂ、１Ｃ…棒状体、２…握り部材、３…杖先部分、４…帯状体、４Ａ…長筒状部材、５…小突起或いはこぶ状部分。
【図１】
0003186752.tif 000003
【図２】
0003186752.tif 000004
【図３】
0003186752.tif 000005
【図４】
0003186752.tif 000006
【図５】
0003186752.tif 000007
【図６】
0003186752.tif 000008
【図７】
0003186752.tif 000009
【図８】
0003186752.tif 000010
【図９】
0003186752.tif 000011
【図１０】
0003186752.tif 000012
【図１１】
0003186752.tif 000013